(57)【要約】【課題】簡単な構成でノイズ抑圧レベル比を低減させた無線通信機を提供する。【解決手段】内部に発振器を有しかつ二重シールド５０によって覆われたＤＳＰ３を装着したサブ基板Ｓと、ＤＳＰ以外の部分を有するメイン基板Ｍとを備えた無線通信機において、メイン基板Ｍではアナロググランドとデジタルグランドとそれぞれ独立して接地し、サブ基板Ｓではそのアナロググランドはメイン基板ＭのアナロググランドにケーブルＣ１を介して接続し、サブ基板Ｓではそのデジタルグランドはメイン基板ＭのデジタルグランドにケーブルＣ２を介して接続し、二重シールド５０の外側シールド５２はサブ基板Ｓのアナロググランドに接続すると共に、ケーブルＣ３を介してメイン基板Ｍのアナロググランドに接続することにより接地する。【選択図】        図１
2007081895.tif 000002
【特許請求の範囲】
【請求項１】
内部に発振器を有しかつ二重シールドによって覆われたデジタルシグナルプロセッサを装着したサブブロックと、デジタルシグナルプロセッサ以外の部分を有するメインブロックとを備えた無線通信機において、メインブロックではアナロググランドとデジタルグランドとそれぞれ独立して接地し、サブブロックではそのアナロググランドはメインブロックのアナロググランドに第１のケーブルを介して接続し、サブブロックではそのデジタルグランドはメインブロックのデジタルグランドに第２のケーブルを介して接続し、二重シールドの外側シールドはサブブロックのアナロググランドに接続すると共に、第３のケーブルを介してメインブロックのアナロググランドに接続することにより接地することを特徴とする無線通信機。
【発明の詳細な説明】
【技術分野】
【０００１】
本発明はデジタルシグナルプロセッサを備えた無線通信機に関する。
【背景技術】
【０００２】
無線通信機１０は、図２に示すように、送信部３０と受信部５０とを備えている。
【０００３】
送信部３０は、マイクロフォン１からの音声信号をマイク増幅器２にて増幅し、マイク増幅器２からの出力信号をデジタルシグナルプロセッサ（ＤＳＰ）３に供給して信号処理し変調信号を生成して、ＰＬＬ回路４１、ループフィルタ４２およびＴＸＶＣＯ４３を含むＰＬＬ周波数シンセサイザ４から出力される搬送波を変調信号にてＦＭ変調し、変調出力を送信信号増幅器５にて増幅し、送信信号増幅出力を送信電力増幅器６にて電力増幅し、アンテナスイッチ７およびローパスフィルタ８を介してアンテナ９から送信する。
【０００４】
受信部３０は、アンテナ９にて受信した受信信号はローパスフィルタ８およびアンテナスイッチ７を介してバンドパスフィルタ１１に供給して帯域制限し、バンドパスフィルタ１１からの出力をＲＦ増幅器１２にて増幅し、ＲＦ増幅器１２の出力をバンドパスフィルタ１３に供給して帯域制限し、ＰＬＬ回路４１、ループフィルタ４２およびＲＸＶＣＯ４４を含むＰＬＬ周波数シンセサイザ４から出力される局部発振出力とバンドパスフィルタ１３からの出力とをミキサ１４にて周波数混合して第１の中間周波信号に変換し、第１の中間周波信号はバンドパスフィルタ１６に供給して帯域制限し、バンドパスフィルタ１６の出力を中間周波増幅器１７に供給して増幅し、中間周波増幅器１７からの出力を水晶発振器１５からの発振出力とミキサ１８にて周波数混合して第２の中間周波信号に変換し、第２の中間周波信号は増幅器１９にて増幅のうえＤＳＰ３に供給して音声信号に復調し、音声信号は音声信号増幅器２０にて増幅のうえスピーカ２１によって音声に再生する。
【０００５】
無線通信機１０においては、ＤＳＰ３はサブブロックに対応するサブ基板Ｓ上に形成され、ＤＳＰ３およびアンテナ９を除く無線通信機１０の残余の部分はメインブロックに対応するメイン基板Ｍ上に形成されている。
【０００６】
一方、サブ基板Ｓに形成されているＤＳＰ３は、図３に示すように、ＤＳＰ本体３０、ＤＳＰ３の動作のための電圧３．３Ｖを生成する電源回路３１、電圧３．３Ｖから１．５Ｖの電圧を生成する電源回路３２、ＤＳＰ本体３０の動作のタイミングを採るための発振器３３、発振器３３の発振出力を増幅してＤＳＰ本体３０に供給する増幅器３４、ＤＳＰ本体３０とデータの遣り取りをしてマイクロフォンからの出力および復調出力を出力するコーディック３５、第２の中間周波信号を入力してＡ／Ｄ変換してＤＳＰ本体３０へ送出するＡ／Ｄ変換器３６を備えて、ＤＳＰ３はコネクタ３７を介してメイン基板Ｍにケーブルで接続される。
【０００７】
さらに、図４に示すように、サブ基板Ｓは、ノイズから保護するために内側シールド５１および外側シールド５２からなる二重シールド５０によって覆ってある。さらに、メイン基板Ｍでは、アナロググランド（ＡＧＮＤ）とデジタルグランド（ＤＧＮＤ）とにそれぞれ独立して接地されている。一方、サブ基板Ｓでは、そのＡＧＮＤはメイン基板ＭのＡＧＮＤにケーブルＣ１を介して接続してあり、そのＤＧＮＤはメイン基板ＭのＤＧＮＤにケーブルＣ２を介して接続してある。さらに、サブ基板Ｓのグランドは内側シールド５１および外側シールド５２に互いに接続してサブ基板ＳのＡＧＮＤに接地すると共に、ケーブルＣ３を介してメイン基板ＭのＡＧＮＤに接続することにより接地してある。また、他のシールド構造としては、シールドケース及び別ピース子基板を廃止したシールド構造も知られている（例えば特許文献１参照）。
【特許文献１】特開平１０−２９４５８８号公報
【発明の開示】
【発明が解決しようとする課題】
【０００８】
しかし、上記した従来の無線通信機において、無線通信機内部に有する各発振器の発振周波数の整数倍の周波数により、自分自身で受信してしまうという、内部ビート現象が生ずることが知られている。サブ基板Ｓについてみれば、発振器３３の発振周波数の整数倍の周波数を有する内部ビートが発生する。さらに、上記した従来の接地では、図３において破線にて示したようにＡＧＮＤにループが生じて、ＡＧＮＤ間を電流ｉＡＧＮＤが流れて、この電流ｉＡＧＮＤにより磁束が生じてシールド効果を発揮できず、内部ビート現象を増強してしまうという問題点があった。
【０００９】
例えば、無線通信機において、無線通信機が受信していない状態で、スケルチを開放にしてホワイトノイズを発生させ、このときのノイズレベルを０ｄＢとする。ある受信周波数において内部ビートにより無線通信機が受信してしまいホワイトノイズが抑圧される。このときのノイズ比をノイズ抑圧レベルとする。具体的に、４９１．５２ＭＨｚ（１２．２８８（＝発振器３３の発振周波数）ＭＨｚ×４０）においてノイズ抑圧レベル比が−２４．６ｄＢｂであった。ここで、ノイズ抑圧レベル比が−側に大きくなるほど、強く受信していることになる。
【００１０】
本発明は、簡単な構成でノイズ抑圧レベル比を低減させた無線通信機を提供することを目的とする。
【課題を解決するための手段】
【００１１】
本発明の請求項１にかかる無線通信機は、内部に発振器を有しかつ二重シールドによって覆われたデジタルシグナルプロセッサを装着したサブブロックと、デジタルシグナルプロセッサ以外の部分を有するメインブロックとを備えた無線通信機において、メインブロックではアナロググランドとデジタルグランドとそれぞれ独立して接地し、サブブロックではそのアナロググランドはメインブロックのアナロググランドに第１のケーブルを介して接続し、サブブロックではそのデジタルグランドはメインブロックのデジタルグランドに第２のケーブルを介して接続し、二重シールドの外側シールドはサブブロックのアナロググランドに接続すると共に、第３のケーブルを介してメインブロックのアナロググランドに接続することにより接地することを特徴とする。
【発明の効果】
【００１２】
本発明の請求項１にかかる無線通信機によれば、内部に発振器を有し、かつ二重シールドしてなるＤＳＰを備えた無線通信機において、二重シールドを構成する内側シールドはアースされ図に、アースから浮いているため、第１および第３のケーブルを介して流れるループ電流はなくなり、２重シールド内部における発振器の存在にもかかわらず２重シールドによるシールド効果が発揮され、内部ビートによるホワイトノイズの抑制が改善される。
【発明を実施するための最良の形態】
【００１３】
以下、本発明にかかる無線通信機を実施の一形態によって説明する。
【００１４】
図１は本発明の実施の一形態にかかる無線通信機におけるメイン基板とサブ基板とのアースについての関係を示す模式図である。
【００１５】
本発明の実施の一形態にかかる無線通信機１０は従来の場合と同様に図２に示す構成を有しており、サブ基板Ｓには従来の場合と同様に図３上に示す構成部品が形成されている。
【００１６】
本発明の実施の一形態に示すサブ基板Ｓは、図１に示すように、ノイズから保護するために内側シールド５１および外側シールド５２からなる二重シールド５０によって覆ってある。さらに、メイン基板Ｍでは、アナロググランド（ＡＧＮＤ）とデジタルグランド（ＤＧＮＤ）とにそれぞれ独立して接地されている。一方、サブ基板Ｓでは、そのＡＧＮＤはメイン基板ＭのＡＧＮＤにケーブルＣ１を介して接続してあり、そのＤＧＮＤはメイン基板ＭのＤＧＮＤにケーブルＣ２を介して接続してある。さらに、サブ基板Ｓのグランドは外側シールド５２のみＡＧＮＤに接地してあると共に、ケーブルＣ３を介してメイン基板ＭのＡＧＮＤに接続することにより接地してある。なお、内側シールド５１は接地されておらず、アースから浮いた状態にしてある。
【００１７】
上記したサブ基板Ｓにおいて、内側シールド５１は接地されておらず、アースから浮いた状態にしてあるために、図３に示すようなＡＧＮＤ間の電流ｉＡＧＮＤが流れることはなく、２重シールド５０によるシールド効果が発揮され、内部ビートによるホワイトノイズの抑制が改善される。
【００１８】
前記従来例の場合と同様の条件で、発振器３３の発振周波数１２．２８８ＭＨｚ×４０の周波数４９１．５２ＭＨｚにおいてノイズ抑圧レベル比が０．０ｄＢｂとなり、ノイズ抑圧レベル比が改善されて、内部ビートによるホワイトノイズの抑圧がなくなった。
【図面の簡単な説明】
【００１９】
【図１】本発明の実施の一形態にかかる無線通信機におけるメイン基板とサブ基板とのアースについての関係を示す模式図である。
【図２】無線通信機の構成を示すブロック図である。
【図３】サブ基板Ｓ上に形成される構成要素を示す模式ブロック図である。
【図４】無線通信機におけるメイン基板とサブ基板とのアースについての従来の関係を示す模式図である。
【符号の説明】
【００２０】
３  ＤＳＰ
１０  無線通信機
３０  送信部
５０  受信部
３３  発振器
５０  ２重シールド
５１  内側シールド
５２  外側シールド
Ｍ  メイン基板
Ｓ  サブ基板
【図１】
2007081895.tif 000003
【図２】
2007081895.tif 000004
【図３】
2007081895.tif 000005
【図４】
2007081895.tif 000006